(57)【特許請求の範囲】
【請求項１】
前方に開口する開口部を有するグリル庫と、
前記開口部を介して前方へ移動可能で且つ後方へ移動して前記グリル庫内に収容可能なグリル皿と、
前記グリル皿に載置される焼き網と、を備えるグリルであって、
前記グリル皿と前記焼き網の一方または両方に前記焼き網が前記グリル皿の正規位置となる所定の載置位置に載置されるための位置決め部が設けられ、
前記開口部より前方へ移動した前記グリル皿に前記焼き網が前記正規位置からずれて載置された場合に、前記焼き網が前記正規位置に載置された時の高さよりも高くなるよう乗り上げる乗り上げ部が前記グリル皿に設けられるとともに、
前記焼き網が前記乗り上げ部に乗り上げた状態で前記グリル皿が後方へ移動した時に、前記焼き網が前記グリル庫内に収容されないように当接する規制部が前記グリル庫に設けられることを特徴とするグリル。
【請求項２】
前記焼き網は、被加熱物が載置される網部材と、前記網部材を支持する支持部材とを備え、
前記支持部材は、前記グリル皿上に載置される被載置部と、前記被載置部から連設される脚部と、前記脚部の上端に設けられ前記網部材を支持する網支持部と、を備え、
前記被載置部の左右の辺をなす側辺部の後端から内側に向け伸びた後上方に伸びる後側の前記脚部が連設され、
前記グリル庫の左右の側壁から、前記規制部として前記網部材上に載置される被加熱物を加熱するガスバーナを収容する加熱部カバーが前記グリル庫中央側に突出するように設けられ、
前記正規位置に前記焼き網が載置された状態で前記グリル皿が後方へ移動した時、前記加熱部カバーの下側を前記側辺部が通過し、
前記焼き網が乗り上げ部に乗り上げた状態で前記グリル皿が後方へ移動した時、前記側辺部または後側の前記脚部が前記加熱部カバーに当接することを特徴とする請求項１記載のグリル。
【発明の詳細な説明】
【技術分野】
【０００１】
本発明は、開口部を介してグリル庫に出し入れ自在に収容されるグリル皿と、グリル皿に載置される焼き網とを備えるグリルに関するものである。
【背景技術】
【０００２】
従来より広くグリルが利用されており、グリルは、開口部を介してグリル庫に出し入れ自在に収容されるグリル皿と、グリル皿に載置される焼き網とを備えている（例えば特許文献１参照）。焼き網には、載置される被加熱物からの油脂等の滓が付着するため、グリル皿から取り外して洗浄を行い、再びグリル皿に載置するものである。
【先行技術文献】
【特許文献】
【０００３】
【特許文献１】特開２００１−１６９９２７号公報
【発明の概要】
【発明が解決しようとする課題】
【０００４】
しかしながら、焼き網がグリル皿の所定の載置位置（正規位置という）に載置されていない場合、焼き網に載置された被加熱物が設計通りに加熱されない惧れがあり、また、振動や衝撃等によりグリル庫内で焼き網がグリル皿の正規位置から更にずれてしまうと、グリル庫からグリル皿および焼き網を引き出す際に、焼き網によりグリル庫が破損したり、グリル皿および焼き網を引き出せなくなる惧れがあった。
【０００５】
本発明は上記従来の問題点に鑑みて発明したものであって、その目的とするところは、焼き網がグリル皿の所定の載置位置に載置されないままグリル庫に収容されてしまうのを防止するグリルを提供することを課題とするものである。
【課題を解決するための手段】
【０００６】
上記課題を解決するために請求項１に係る発明は、前方に開口する開口部１１を有するグリル庫１０と、開口部１１を介して前方へ移動可能で且つ後方へ移動してグリル庫１０内に収容可能なグリル皿２と、グリル皿２に載置される焼き網３と、を備えるグリル１であって、グリル皿２と焼き網３の一方または両方に焼き網３がグリル皿２の正規位置となる所定の載置位置に載置されるための位置決め部６が設けられ、開口部１１より前方へ移動したグリル皿２に焼き網３が正規位置からずれて載置された場合に、焼き網３が正規位置に載置された時の高さよりも高くなるよう乗り上げる乗り上げ部７がグリル皿２に設けられるとともに、焼き網３が乗り上げ部７に乗り上げた状態でグリル皿２が後方へ移動した時に、焼き網３がグリル庫１０内に収容されないように当接する規制部がグリル庫１０に設けられることを特徴とする。
【０００７】
このような構成とすることで、正規位置に焼き網３が載置された状態で焼き網３およびグリル皿２をグリル庫１０内に収容し、焼き網３が正規位置に載置されず乗り上げ部７に乗り上げた状態では、焼き網３が規制部に当接して焼き網３がグリル庫１０内に収容されないように規制することが可能となる。
【０００８】
また、請求項２に係る発明は、請求項１に係る発明において、焼き網３は、被加熱物が載置される網部材４と、網部材４を支持する支持部材５とを備え、支持部材５は、グリル皿２上に載置される被載置部５１と、被載置部５１から連設される脚部５２と、脚部５２の上端に設けられ網部材４を支持する網支持部５３と、を備え、被載置部５１の左右の辺をなす側辺部５１ａの後端から内側に向け伸びた後上方に伸びる後側の脚部（後脚部５２ｂ）が連設され、グリル庫１０の左右の側壁から、規制部として網部材４上に載置される被加熱物を加熱するガスバーナ（下バーナ１３）を収容する加熱部カバー１７がグリル庫１０中央側に突出するように設けられ、正規位置に焼き網３が載置された状態でグリル皿２が後方へ移動した時、加熱部カバー１７の下側を側辺部５１ａが通過し、焼き網３が乗り上げ部７に乗り上げた状態でグリル皿２が後方へ移動した時、側辺部５１ａまたは後脚部５２ｂが加熱部カバー１７に当接することを特徴とする。
【０００９】
このような構成とすることで、もともと一般的に設けられる加熱部カバー１７を規制部とすることができ、特に専用の規制部を設けることなく、構成を簡単にすることができる。
【発明の効果】
【００１０】
本発明にあっては、焼き網がグリル皿の正規位置に載置されないままグリル庫に収容されてしまうことによる問題点、すなわち、焼き網に載置された被加熱物が設計通りに加熱されない惧れがある点や、グリル庫内で焼き網がグリル皿の正規位置から更にずれてしまい、グリル庫からグリル皿および焼き網を引き出す際に、焼き網によりグリル庫が破損したり、グリル皿および焼き網を引き出せなくなる惧れがある、といった点を解消することが可能となる。
【図面の簡単な説明】
【００１１】
【図１】本発明の一実施形態のグリル付きガスこんろの外観斜視図である。
【図２】同上におけるグリルの焼き網が載置されたグリル皿を引出した状態の斜視図である。
【図３】同上におけるグリルの焼き網が載置されたグリル皿の斜視図である。
【図４】同上におけるグリル皿の斜視図である。
【図５】同上における焼き網の支持部材の斜視図である。
【図６】同上における焼き網の網部材の斜視図である。
【図７】同上における焼き網の網部材の他例の斜視図である。
【発明を実施するための形態】
【００１２】
以下、本発明の一実施形態について添付図面に基づいて説明する。
【００１３】
本実施形態のグリルは、図１に示すように、外殻となるケーシング９１に、こんろ部９２とグリル１とを有するグリル付きガスこんろ９が備えるグリル１であるが、本発明のグリル１は、このようなグリル付きガスこんろ９が備えるグリル１に限定されず、グリル１単体や、他の機器と組み合わされたグリル１であってもよい。
【００１４】
各こんろ部９２には、加熱手段としてのガスバーナと、ガスバーナに点火する例えば点火プラグからなる点火装置と、ガスバーナの点火を検出する例えば熱電対からなる点火検出装置とが設けられ、グリル１にも同様に、加熱手段としてのガスバーナと点火装置と点火検出装置とが設けられる。点火装置は、加熱状態調節部９４において点火操作がなされると、マイクロコンピュータからなる制御部により点火動作が行われ、点火検出装置において検出された点火情報は制御部に認識されて、制御部により点火プラグでの点火処理が行われる。なお、点火装置と点火検出装置はこのような形態に限定されない。
【００１５】
各ガスバーナには、図示しないが、都市ガス等のガス燃料を供給する燃料供給路からそれぞれ分岐する分岐供給路が接続される。燃料供給路には電磁弁が設けられ、各分岐供給路には、ガス燃料の供給量の調節を行うためステッピングモータ等により駆動されて弁体の開度位置の微調整が行われる流量制御弁と、弁体の開度位置を検出する位置センサとが設けられる。電磁弁及び流量制御弁は、制御部により制御が行われ、位置センサに検出される開度位置情報は制御部によって処理される。また、流量制御弁は、対応するガスバーナが使用されない時には、ガスの流路を遮断するように制御される。
【００１６】
ケーシング９１の左右方向の中央部にグリル１が設けられており、グリル１については後述する。ケーシング９１の前面の右半部の上部には、各こんろ部９２の点火／消火・火力調節の操作を行うための加熱状態調節部９４が設けられ、ケーシング９１の前面の左右の下部に、グリル１による調理の設定を入力するためのグリル用調理設定入力部を有する操作パネル９５と、こんろ部９２による調理の設定を入力するためのこんろ部用調理設定入力部を有する操作パネル９５とが設けられている。操作パネル９５は、所謂カンガルーポケットからなりケーシング９１内に収容可能であるが、カンガルーポケットに限定されるものではなく、またケーシング９１内に収容可能でなくてもよい。ここで便宜上、前方を後述するグリル皿２の引き出し方向（図２〜７中における符号Ｆの方向）、後方をその逆方向（符号Ｂの方向）とし、左右方向を前方を向く時の左右方向とする。
【００１７】
グリル１は、前端に被加熱物の出し入れのための開口部１１を有し内部が加熱室となるグリル庫１０に、加熱手段としてのガスバーナを備えるものである。本実施形態では、図２に示すように、グリル１のガスバーナとして、グリル庫１０の上面に上バーナ１２が設けられると共に、グリル庫１０の左右の側壁の下部に下バーナ１３が設けられる。グリル庫１０の後部には、ガスバーナからの燃焼排ガスをグリル庫１０外に排出する排気通路が設けられている。排気通路は、トッププレートの後部に形成されている排気口９６に繋がっており、排気口９６から燃焼排ガスが排出される。
【００１８】
グリル庫１０には、開口部１１を介して前方へ移動可能で、且つ、後方へ移動してグリル庫１０内に収容可能なようにグリル皿２が設けられる。グリル皿２は、本実施形態では図４に示すように、平面視略矩形状をした上方に開口する容器からなる受け部２１と、受け部２１の周端から外方に連設されるフランジ部２２とを備え、上面に焼き網３（後述する）が載置されて焼き網３上の被加熱物からの油脂等のなどの滓を受けるものである。なお、グリル皿２の形状は特に限定されない。
【００１９】
本実施形態では、グリル庫１０の左右の側壁の下バーナ１３の下側に、固定レール（図示せず）が前後方向が長手方向となるように設けられる。固定レールには、該固定レールに支持されて前後にスライド自在な中間レール（図示せず）が設けられ、中間レールには、該中間レールに支持されて前後にスライド自在な可動レール１４が設けられる。グリル皿２は、可動レール１４上に載置されて、可動レール１４とともに前後に移動自在となるものである。本実施形態では、左右の可動レール１４上にそれぞれ位置決め突起１５（図２参照）が上方に向けて突設されるとともに、グリル皿２の左右のフランジ部２２の前記位置決め突起１５に対応する箇所にそれぞれ位置決め突起挿通孔２３が形成され、位置決め突起１５が位置決め突起挿通孔２３に挿通されるようにフランジ部２２が可動レール１４に載置されることで、グリル皿２が可動レール１４の所定の載置位置に所定の前後向きで載置されるようになっている。
【００２０】
可動レール１４の前端部には、グリル庫１０の開口部１１を開閉するグリル扉１６が固定されている。使用者は、グリル扉１６の把持部を掴んでグリル扉１６を前方へ引き出すことで可動レール１４とともにグリル皿２を開口部１１を介して前方へ移動させ、グリル扉１６を後方へ押し込むことで可動レール１４とともにグリル皿２をグリル庫１０内に収容させるものである。
【００２１】
なお、本実施形態では、固定レールと可動レール１４と中間レールとにより、グリル皿２を前後に移動自在としているが、特にこのようなレールに限定されず、例えばグリル庫１０の左右の側壁に溝を形成し、グリル皿２の側端部を前記溝に挿入することで、グリル皿２を前後に移動自在となるようにしてもよいものである。
【００２２】
図３に示すように、グリル皿２上には、被加熱物を載置するための焼き網３が載置され、焼き網３上の被加熱物を上バーナ１２および下バーナ１３で上下から加熱するように構成されている。
【００２３】
焼き網３は、被加熱物が載置される網部材４と、この網部材４を支持する支持部材５とからなるものである。
【００２４】
支持部材５は、本実施形態では図５に示すように、被載置部５１と脚部５２と網支持部５３と上突出部５４とで主体が構成されるもので、これらは一つの線材４２が環状に連続する平面視略矩形状をした枠により形成される。
【００２５】
被載置部５１は、平面視略矩形状をした枠の左右の辺をなす側辺部５１ａと、側辺部５１ａの前端からそれぞれ幾分か内側（左右方向の中央側）の位置までの前辺部５１ｂと、からなる。この側辺部５１ａと前辺部５１ｂは、枠の下端に位置し、グリル皿２の上面に載置される。
【００２６】
脚部５２は、側辺部５１ａと前辺部５１ｂから上側に連設される部分で、前辺部５１ｂの内側端から内側斜め前方に連設される前脚部５２ａと、側辺部５１ａの後端から内側に向けて伸びた後、上方に伸びるように連設され途中で屈曲し上方を向く後脚部５２ｂと、で構成される。
【００２７】
網支持部５３は、脚部５２から横方向に連設される部分で、前脚部５２ａの上端から内側に略水平に連設される前網支持部５３ａと、後脚部５２ｂの上端から内側に略水平に連設される後網支持部５３ｂと、で構成される。
【００２８】
上突出部５４は、網支持部５３から上側に連設される部分で、前網支持部５３ａの内側端から上側に連設される略コ字状をした前上突出部５４ａと、後網支持部５３ｂの内側端から上側に連設される略コ字状をした後上突出部５４ｂと、で構成される。
【００２９】
また本実施形態では、後脚部５２ｂに後板部５５が設けられ、この後板部５５の下端部の左右にそれぞれ、位置決め部６としての突起が設けられている。位置決め部６は、支持部材５がグリル皿２の所定の載置位置（以下、正規位置という）に載置されるため、グリル皿２と支持部材５の一方または両方に設けられるもので、本実施形態では、両方に設けられる。すなわち、上記後板部５５に設けられる焼き網突起５５ａとグリル皿２において、左右の焼き網突起５５ａに対応する箇所にそれぞれ形成される焼き網突起挿通孔２４とで位置決め部６が構成され、左右の焼き網突起５５ａが左右の焼き網突起挿通孔２４に挿通されるように支持部材５がグリル皿２に載置されることで、焼き網３が正規位置に載置されるようになっている。
【００３０】
網部材４は、図６に示すように、グリル皿２よりも小さいか同程度の大きさの平面視略矩形状をした外枠４１の左右の対向する辺間に線材４２を架設して構成されている。
【００３１】
この網部材４には、支持部材５の上突出部５４が挿通され網支持部５３に載置される被支持部が設けられる。本実施形態では、外枠４１の前後の辺部からそれぞれ内側（網部材４の平面視における中央部側）に略コ字状をした被支持枠が取り付けられて、前側と後側の被支持部４３、４４が構成されている。前側の被支持枠４３ａの左右の側辺の間隔Ｗ４１は、支持部材５の前上突出部５４ａの左右の側辺の間隔Ｗ５１よりも若干だけ長く形成されるとともに、左右の前網支持部５３ａの間隔よりも短く形成されている。また、前側の被支持枠４３ａの左右の側辺の前後長さは、支持部材５の前上突出部５４ａの前後長さよりも若干だけ長く形成されている。このため、前側の被支持枠４３ａと外枠４１とで囲まれる挿通領域（前挿通領域４７）は、前上突出部５４ａが挿通され、前網支持部５３ａ上に当接して載置され、また、前記領域に挿通された前上突出部５４ａは、前後および左右に若干の遊びがあるのみで、位置決めがなされる。前側の被支持枠４３ａと外枠４１の前辺の前挿通領域４７を囲む部分が前側の被支持部４３となる。
【００３２】
同様に、後側の被支持枠４４ａの左右の側辺の間隔Ｗ４２は、支持部材５の後上突出部５４ｂの左右の側辺の間隔Ｗ５２よりも若干だけ長く形成されるとともに、左右の後網支持部５３ｂの間隔よりも短く形成されている。また、後側の被支持枠４４ａの左右の側辺の前後長さは、支持部材５の後上突出部５４ｂの前後長さよりも若干だけ長く形成されている。このため、後側の被支持枠４４ａと外枠４１とで囲まれる挿通領域（後挿通領域４８）は、後上突出部５４ｂが挿通され、後網支持部５３ｂ上に当接して載置され、また、前記領域に挿通された後上突出部５４ｂは、前後および左右に若干の遊びがあるのみで、位置決めがなされる。後側の被支持枠４４ａと外枠４１の後辺の後挿通領域４８を囲む部分が後側の被支持部４４となる。
【００３３】
また、平面視において、網部材４の前挿通領域４７と後挿通領域４８は、支持部材５の前上突出部５４ａと後上突出部５４ｂにそれぞれ対応する位置に形成されている。これにより、網部材４は、支持部材５に対して位置決めされた状態で載置することが可能となる。この位置決めされた位置を網正規位置という。
【００３４】
また、前側の被支持枠４３ａの後辺の中間部において、内側に略コ字状に突出する前曲げ部４５が形成されており、前曲げ部４５の左右の幅は前側の被支持枠４３ａの左右の側辺の間隔Ｗ４１よりも短い。更に、後側の被支持枠４４ａの前辺の中間部において、内側に略コ字状に突出する後曲げ部４６が形成されており、後曲げ部４６の左右の幅は後側の被支持枠４４ａの左右の側辺の間隔Ｗ４２よりも短い。
【００３５】
本実施形態においては、網部材４を支持部材５の網正規位置より左右にずれた位置に載置しようとする場合には、網部材４の前側の被支持枠４３ａと後側の被支持枠４４ａの左右の側辺が、支持部材５の前上突出部５４ａと後上突出部５４ｂに当接するため、網正規位置より左右にずれて載置されることができず、ずれていることが認識される。
【００３６】
また、網部材４を支持部材５の網正規位置より所定距離（後側の被支持枠４４ａの前辺と最後部の線材４２との間の距離以下）後方に載置しようとする場合には、後側の被支持枠４４ａの後曲げ部４６や最後部の線材４２に支持部材５の後上突出部５４ｂが当接するため、網正規位置より前方にずれて載置されることができず、ずれていることが認識される。
【００３７】
また、網部材４を支持部材５の網正規位置より所定距離（前側の被支持枠４３ａの後辺と最前部の線材４２との間の距離以下）前方に載置しようとする場合には、前側の被支持枠４３ａの前曲げ部４５や最前部の線材４２に支持部材５の前上突出部５４ａが当接するため、網正規位置より後方にずれて載置されることができず、ずれていることが認識される。
【００３８】
すなわち、網部材４の前挿通領域４７と後挿通領域４８の内側に所定距離の上突出部挿通不能領域が形成されることで、網部材４が網正規位置より前後に若干距離ずれて支持部材５に挿通されることができず、ずれていることが認識されるものである。なお、網部材４を支持部材５の網正規位置より所定距離以上前後にずれて載置した場合には、ずれが大きいため使用者は誤った状態で載置していることに気付き易いため、特に対策を施さなくてもよいが、本実施形態では、網部材４を支持部材５の網正規位置より所定距離以上前後にずれて載置したことに確実に気付くように対策を施しており、以下に説明する。
【００３９】
網正規位置に載置された網部材４とグリル扉１６の位置を上記所定距離（上突出部挿通不要領域の前後長さ）よりも短く設定している。これにより、網部材４を支持部材５の網正規位置より所定距離以上前方に載置した場合、網部材４がグリル扉１６に当接するため、網部材４が網正規位置よりかなり前方にずれて載置されることができず、ずれていることが認識される。
【００４０】
また、網部材４が網正規位置に載置され、支持部材５が正規位置に載置されてグリル庫１０に収容されてグリル扉１６が閉じた状態で、網部材４の後端とグリル庫１０の後壁または該後壁の網部材４と同じ高さに設けられる当接部との距離が、後挿通領域４８の内側に設けられる上記所定距離（上突出部挿通不要領域の前後長さ）よりも短く設定している。これにより、網部材４を支持部材５の網正規位置より所定距離以上後方に載置した場合、グリル皿２をグリル庫１０に収容しようとした時に網部材４が後壁または当接部に当接して、グリル皿２および焼き網３がそれ以上後方へ移動せず、グリル扉１６がグリル庫１０の開口部１１よりも前方に位置するため、網部材４が網正規位置よりかなり後方にずれて載置されていることが認識される。なお、当接部としては、グリル庫１０の後壁の網部材４と同じ高さ位置のみに設けてもよいが、一部を突出させたりせず後壁全体が当接部となるようにしてもよい。
【００４１】
しかも、前曲げ部４５の左右の幅は、前上突出部５４ａの左右の側辺の間隔Ｗ５１よりも短く形成されているため、前上突出部５４ａが前曲げ部４５に囲まれた領域には挿通不能であり、後曲げ部４６の左右の幅は、後上突出部５４ｂの左右の側辺の間隔Ｗ５２よりも短く形成されているため、後上突出部５４ｂが後曲げ部４６に囲まれた領域には挿通不能であるように本実施形態では構成しているが、図７に示すように、前曲げ部４５と後曲げ部４６が形成されていなくてもよいものである。
【００４２】
本実施形態では、網部材４は前後対称な形状となっている。これにより、前後の区別をする必要がなく、網部材４を支持部材５に誤った状態で載置する可能性を低減させることができる。
【００４３】
また本実施形態では、後上突出部５４ｂが前上突出部５４ａよりも高く形成され、前上突出部５４ａは上端が下端よりも後側に位置するように傾いている。網部材４を支持部材５に載置するには、まず、後挿通領域４８に後上突出部５４ｂを挿通させて後側の被支持部４４を後網支持部５３ｂに載置する。次に、網部材４の後端側を中心にして前端側を回動させて、前挿通領域４７に前上突出部５４ａを挿通させて前側の被支持部４３を前網支持部５３ａに載置する。ここで、後上突出部５４ｂが前上突出部５４ａよりも高く形成されていることで、後挿通領域４８に後上突出部５４ｂを挿通させ易い。また、前上突出部５４ａは上端が下端よりも後側に位置するように傾いているため、網部材４の後端側を中心にして前端側を回動させる際、前挿通領域４７に前上突出部５４ａを挿通させ易く、また、前挿通領域４７に挿通された前上突出部５４ａが外れ難くなるものである。
【００４４】
また、本実施形態においては、支持部材５がグリル皿２の正規位置からずれて載置された場合、支持部材５を載置したグリル皿２がグリル庫１０内に収容されないように、乗り上げ部７と規制部が設けられる。
【００４５】
乗り上げ部７は、グリル皿２の上面に設けられ、グリル皿２の正規位置からずれて支持部材５が載置された場合に、支持部材５が正規位置に載置された時の高さよりも高くなるようにするものである。本実施形態では、グリル皿２の左右のフランジ部２２上における支持部材５の被載置部５１の側辺部５１ａが載置される部分の内側に隣接して、前後方向に複数または前後方向に所定以上の長さをもって乗り上げ部７（内乗り上げ部７１とする）が設けられる。内乗り上げ部７１の最も前方の位置は、支持部材５の被載置部５１の前辺部５１ｂが載置される部分の後側に隣接して設けられ、内乗り上げ部７１の最も後方の位置は、支持部材５の被載置部５１の側辺部５１ａの後端と略同じ位置に設けられる。また更に、グリル皿２のフランジ部２２の支持部材５の被載置部５１の側辺部５１ａの後端の後側に隣接して、乗り上げ部７（後乗り上げ部７２とする）が設けられる。
【００４６】
支持部材５が、グリル皿２の正規位置よりも右側にずれて載置されると、支持部材５の左側の側辺部５１ａが内乗り上げ部７１に乗り上げ、支持部材５が、グリル皿２の正規位置よりも左側にずれて載置されると、支持部材５の右側の側辺部５１ａが内乗り上げ部７１に乗り上げる。また、支持部材５が、グリル皿２の正規位置よりも後側にずれて載置されると、支持部材５の側辺部５１ａが後乗り上げ部７２に乗り上げる。なお、グリル扉１６があるため、支持部材５はグリル皿２の正規位置よりも前側にずれて載置されることはない。
【００４７】
また、支持部材５のグリル皿２への載置位置の正規位置からのずれが大きい場合には、支持部材５は乗り上げ部７に乗り上げない場合もあるが、この場合には使用者は支持部材５の位置が正規位置からずれていることを容易に認識できる。また、乗り上げ部７は、支持部材５をグリル皿２の正規位置に載置するためのガイド部あるいは位置決め部６としても機能する。
【００４８】
規制部は、支持部材５が乗り上げ部７に乗り上げた状態でグリル皿２が後方へ移動した時に、支持部材５に当接して支持部材５がグリル庫１０内に収容されないようにするものである。本実施形態では、グリル庫１０の左右の側壁から、下バーナ１３を収容する加熱部カバー１７がグリル庫１０中央側に突出するように設けられており、この加熱部カバー１７の前端が規制部となっている（図２参照）。これにより、もともと一般的に設けられる加熱部カバー１７を規制部とすることができ、特に専用の規制部を設けることなく、構成を簡単にすることができる。なお、加熱部カバー１７を規制部とせず、専用の規制部を設けてもよい。
【００４９】
正規位置に支持部材５が載置された状態でグリル皿２が後方へ移動した時、加熱部カバー１７の下側を支持部材５の側辺部５１ａが通過し、グリル皿２および焼き網３はグリル庫１０内に収容される。しかし、支持部材５が乗り上げ部７に乗り上げた状態でグリル皿２が後方へ移動した時、左右のいずれかの側辺部５１ａの高さが加熱部カバー１７の高さと略同じとなり、側辺部５１ａまたは後脚部５２ｂが規制部に当接し、支持部材５の後方への移動が規制（阻止）される。
【００５０】
本実施形態においては、支持部材５がグリル皿２の正規位置に載置されていない場合、支持部材５が乗り上げ部７に乗り上げてグリル庫１０に収容されず、使用者は支持部材５がグリル皿２の正規位置に載置されていないことに気付き、支持部材５をグリル皿２の正規位置に載置してグリル庫１０に収容させることとなる。これにより、支持部材５がグリル皿２の正規位置に載置されないままグリル庫１０に収容されてしまうことによる問題点（すなわち、焼き網３に載置された被加熱物が設計通りに加熱されない惧れがある点や、グリル庫１０内で支持部材５がグリル皿２の正規位置から更にずれてしまい、グリル庫１０からグリル皿２および焼き網３を引き出す際に、焼き網３によりグリル庫１０が破損したり、グリル皿２および焼き網３を引き出せなくなる惧れがある点）を解消することが可能となる。
【符号の説明】
【００５１】
１    グリル
１０  グリル庫
１１  開口部
１２  上バーナ
１３  下バーナ
１４  可動レール
１５  位置決め突起
１６  グリル扉
１７  加熱部カバー
２    グリル皿
２１  受け部
２２  フランジ部
２３  位置決め突起挿通孔
２４  焼き網突起挿通孔
３    焼き網
４    網部材
４１  外枠
４２  線材
４３  前側の被支持部
４４  後側の被支持部
４５  前曲げ部
４６  後曲げ部
４７  前挿通領域
４８  後挿通領域
５    支持部材
５１  被載置部
５２  脚部
５３  網支持部
５４  上突出部
５５  後板部
６    位置決め部
７    乗り上げ部
９    グリル付きガスこんろ
【図１】
0005902504.tif 000002
【図２】
0005902504.tif 000003
【図３】
0005902504.tif 000004
【図４】
0005902504.tif 000005
【図５】
0005902504.tif 000006
【図６】
0005902504.tif 000007
【図７】
0005902504.tif 000008